(57)【要約】      （修正有）【課題】溶接や接着剤の必要がなく、あるいは最小限の接着剤の使用で構成することができ、構造が簡単で製作コストを下げることができ、しかも意匠性を高めたエレベータかご室の壁の固定構造を提供する。【解決手段】縦長の壁パネルを横に複数並べて壁を構成したエレベータかご室の壁の固定構造において、長辺が共に外側に折曲されて形成された折曲部１１を有する断面略コ字形の壁パネル１０と、この壁パネルの上端部または下端部に配設され該壁パネルの外周面に沿って当接するように形成された両端部に第１の曲げ部３１を有する断面略コ字形に形成され、底部背面側または頂部背面側にかご床または天井に固定するための固定部３３が設けられた幅木３と、上記壁パネル及び上記幅木の少なくとも一方に形成され互いに係合することにより上記壁パネル及び上記幅木を相互に固定する係止手段７とを備えるように構成した。【選択図】図１
2006321636.tif 000002
【特許請求の範囲】
【請求項１】
縦長の壁パネルを横に複数並べて壁を構成したエレベータかご室の壁の固定構造において、長辺が共に外側に折曲されて形成された折曲部を有する断面略コ字形の壁パネルと、この壁パネルの上端部または下端部に配設され該壁パネルの外周面に沿って当接するように形成された両端部に第１の曲げ部を有する断面略コ字形に形成され、底部背面側または頂部背面側にかご床または天井に固定するための固定部が設けられた幅木と、上記壁パネル及び上記幅木の少なくとも一方に形成され互いに係合することにより上記壁パネル及び上記幅木を相互に固定する係止手段とを備え、上記壁パネルを上記幅木を介してかご床または天井に固定するようにしてなることを特徴とするエレベータかご室の壁の固定構造。
【請求項２】
上記係止手段は、上記壁パネルの折曲部及び上記幅木の第１の曲げ部相互を壁の延在方向に貫通する穴と、一方の穴の内周側に突出され他方の穴に折曲することにより互いに係合させる舌片を用いて構成されてなることを特徴とする請求項１に記載のエレベータかご室の壁の固定構造。
【請求項３】
上記幅木は、上記第１の曲げ部先端部に、上記壁パネルの折曲部先端部を包み込むようにさらに折曲形成された第２の曲げ部が形成されてなることを特徴とする請求項１または請求項２に記載のエレベータかご室の壁の固定構造。
【請求項４】
上記幅木に設けられた固定部は、該幅木の下端部または上端部を縦断面略Ｌ字形に折曲して形成されてなり、かつかご床または天井に固定する固定ボルトを挿通するための貫通孔を有する第３の曲げ部からなることを特徴とする請求項１ないし請求項３の何れかに記載のエレベータかご室の壁の固定構造。
【請求項５】
上記幅木に設けられた第３の曲げ部からなる固定部は、該固定部にプレス加工された切込みを引き起こして形成され上記壁パネルの下端部を裏側から上記幅木の背面に押し付ける壁パネル押え部を備えてなることを特徴とする請求項４に記載のエレベータかご室の壁の固定構造。
【請求項６】
上記幅木と上記壁パネルとが当接する部分に接着手段を設けて上記幅木と上記壁パネルとを接着したことを特徴とする請求項１ないし請求項５の何れかに記載のエレベータかご室の壁の固定構造。
【請求項７】
左右に隣接する壁パネル相互の間に、上記幅木の約２倍の厚さを有する目地部材を介装し、該壁パネル相互を締結ボルトにより連結してなることを特徴とする請求項１ないし請求項６の何れかに記載のエレベータかご室の壁の固定構造。
【発明の詳細な説明】
【技術分野】
【０００１】
この発明はエレベータかご室の壁の固定構造に関するものである。
【背景技術】
【０００２】
従来のかご室の壁を溶接作業なしに形成するものとして、方形をなす金属板の互いに対向した縁部がそれぞれ裏面方向に屈折されてなるフランジ状部を有するパネル板と、棒状をなしパネル板のフランジ状部に接続した縁部の裏面に配置されて接着剤によって接着された補強材と、フランジ状部における補強材との対応位置に設けられて、貫通空所がコ字状に形成されコ字の開口側がフランジ状部の屈折箇所寄りに配置され、貫通空所におけるコ字の内部に形成されてフランジ状部の屈折箇所側が屈曲されて補強材の上に押圧状態に配置された押さえ片とを設けるようにしたものがある（例えば特許文献１参照。）。
【０００３】
【特許文献１】特開２００２−３２６７７９号公報（第１頁、図１）
【発明の開示】
【発明が解決しようとする課題】
【０００４】
上記のような壁パネルを複数並べて構成すると比較的安価に製作できる。しかし壁は継ぎ目の曲げ部で強度をもたせているため、壁それぞれの幅が例えば４００ｍｍ程度を超えると、曲げ部と曲げ部の中間の板場が弱くなるため、壁パネルの背面部に縦補強や水平補強を接着材や溶接などによって取り付ける必要があるが、接着材を用いた場合には多量の接着材が要るため環境に悪いという課題があり、溶接を行なった場合にはひずみや溶接の圧痕が出てその除去に手間が掛かるといった課題があった。
【０００５】
この発明は上記のような従来技術の課題を解消するためになされたもので、溶接や接着剤の必要がなく、あるいは最小限の接着剤の使用で構成することができ、構造が簡単で製作コストを下げることができるエレベータかご室の壁の固定構造を提供することを目的としている。
【課題を解決するための手段】
【０００６】
この発明によるエレベータかご室の壁の固定構造は、縦長の壁パネルを横に複数並べて壁を構成したエレベータかご室の壁の固定構造において、長辺が共に外側に折曲されて形成された折曲部を有する断面略コ字形の壁パネルと、この壁パネルの上端部または下端部に配設され該壁パネルの外周面に沿って当接するように形成された両端部に第１の曲げ部を有する断面略コ字形に形成され、底部背面側または頂部背面側にかご床または天井に固定するための固定部が設けられた幅木と、上記壁パネル及び上記幅木の少なくとも一方に形成され互いに係合することにより上記壁パネル及び上記幅木を相互に固定する係止手段とを備え、上記壁パネルを上記幅木を介してかご床または天井に固定するようにしたものである。
【発明の効果】
【０００７】
この発明においては、幅木に固定部材の機能を持たせるとともに、壁パネルを幅木に係止手段で固定し、壁パネルを幅木を介してかご床または天井に固定するようにしたことにより、溶接が不要で、接着剤も不要か最小限の使用ですみ、構造も簡単なので製造も容易で安価にできる。
【発明を実施するための最良の形態】
【０００８】
実施の形態１．
図１〜図７は、この発明の実施の形態１によるエレベータかご室の固定構造の要部を説明するもので、図１は幅木を装着した壁パネルと、壁パネル相互の締め付け部に挟む目地部材を背面から見た斜視図、図２はかご室の内部を正面から見た立体図で壁上端部の幅木（回り縁）が見えるタイプ、図３は同じく正面から見た変形例を示す立体図で壁上端部の幅木が天井の照明ケースで隠れて見えないタイプ、図４は壁パネル、幅木、及び係止手段とそれらの関係を説明する斜視図、図５は図２、３に示すＶ−Ｖ線における矢視断面図、図６は図２、３に示すＶＩ−ＶＩ線における矢視断面図、図７は壁パネルを幅木を介してかご床に固定した部分を図２、３に示す矢印Ａ方向から見た断面詳細図である。なお、各図を通じて同一符号は同一もしくは相当部分を示すものとする。
【０００９】
図において、エレベータのかごは、複数の縦長の壁パネル１０を目地部材５を介して横に並べ相互に連結して形成された壁１、壁パネル１０の上下に配設され、下端部をかご床２に固定し、上端部を天井４に固定する固定部材としての機能を有する幅木３、３、及び天井４に埋め込まれた照明器具６などから構成されている。なお、図３に示す壁１上端部の幅木３（回り縁）が天井の照明器具６で隠れて見えないタイプでは、照明器具６がランプ６１を覆うアクリルカバー６２、アクリルカバー６２を保持する飾り枠６３、及び飾り枠６３を吊り下げる吊下げ枠６４などを備えているが、壁１の固定構造は実質的に図２に示す壁１上端部の幅木３が見えるタイプと同様であり、また、壁１とかご床２の境目に配設する幅木３と、壁１と天井４の境目に配設する回り縁としての幅木３の構造も同様であるので、以下、壁１とかご床２の境目に配設する幅木３部分を中心に説明する。
【００１０】
縦長の壁パネル１０は、両側部が外側にＬ型に折曲されて設けられた折曲部１１、１１を有する断面略コ字状に形成され、折曲部１１、１１には、隣接する壁パネルに対して縦方向中央部分は、目地部材５を介して連結するための略正方形の穴である複数の角穴１１ａが設けられ、上端部及び下端部は、幅木３を介してそれぞれ連結するための長方形の角穴１１ｂが上下に１箇所ずつ所定位置に設けられている。幅木３は、断面略コ字状の壁パネル１０の外周面に沿って当接するように両端部が折曲されて形成された第１の曲げ部３１、３１と、各曲げ部３１、３１の先端部が上記壁パネル１０の折曲部１１、１１の先端部をそれぞれ包み込むようにさらに折曲形成された第２の曲げ部３２、３２が形成された断面大凡コ字形に形成され、底部（天井部の場合は頂部）には断面Ｌ字状に折曲されて形成された第３の曲げ部からなる、かご床２または天井４に固定するための固定部３３が設けられている。
【００１１】
上記幅木３の第１の曲げ部３１には、上記壁パネル１０の折曲部１１に設けられた長方形の角穴１１ｂに対応する位置に角穴３１ａが設けられ、該角穴３１ａの１辺には、舌片７１が該角穴３１ａの中心方向に伸びるように設けられている。また、固定部３３には複数の貫通孔である長穴３３ａと、プレス加工された切込みを引き起こして形成され上記壁パネル１０の下端部を裏側から上記幅木３の背面に押し付ける複数の壁パネル押え部７２が設けられている。上記壁パネル１０と上記幅木３とは、図４（ａ）に示すように上記壁パネル１０の下端部から幅木３を嵌め込むように挿入し、図４（ｃ）のように挿入が完了した後、図５に示すように角穴３１ａ部に設けられた舌片７１を、壁パネル１０の折曲部１１に設けられた長方形の角穴１１ｂの内側方向に折り曲げて係合させる一方、固定部３３に設けられた壁パネル押え部７２を図７の矢印Ｂに示す方向に押し込んで壁パネル１０の下端部を幅木３の背面に押し付けることにより係合され、相互に固定される。
【００１２】
なお、この実施の形態１では、壁パネル１０と幅木３の嵌めこみ構造と、上記角穴３１ａ、長方形の角穴１１ｂ、舌片７１、及び壁パネル押え部７２で壁パネル１０と幅木３を固定するための係止手段７が構成されている。また、かご床２は図７に示すように、床パネル２１と、この床パネル２１を底面部から支持する床梁２２からなっており、壁パネル１０は幅木３を介して、幅木３の固定部３３に設けられた長穴３３ａに挿通された固定ボルト８１によってかご床２に固定される。なお、天上部についても同様に上部の幅木３を介して図示省略している固定ボルトにより壁パネル１０が天井部に固定される。また、隣接する壁パネル１０の対向する折曲部１１相互の間における、下部幅木３の第１の曲げ部３１と上部幅木３の第１の曲げ部（図示省略）との間の中央部分に介装される目地部材５は、幅木３の略２倍の厚さを有する板材からなり、角穴１１ａに対応する位置に角穴５ａが形成され、角根ボルトからなる締結ボルト８２を挿通して共締めされる。
【００１３】
次に上記のように構成された実施の形態１の動作について説明する。先ず、壁パネル１０の下端部に幅木３を図４のように上下方向に嵌め込み、係止手段７によって図５及び図７に示すように壁パネル１０と幅木３を相互に固定する。即ち、角穴３１ａ部に設けられた舌片７１を、壁パネル１０の折曲部１１に設けられた長方形の角穴１１ｂの内側方向に折り曲げて係合させる一方、壁パネル１０の下端部は上記図７のように壁パネル押え部７２で壁パネル１０を表側方向に押さえる。これにより、幅木３と壁パネル１０の中央部が密着し、壁パネル１０が表から凹むことが防がれる。さらに側面の舌片７１が図５に示すように角穴１１ｂ側へ軽く曲げられていることで、壁パネル１０と取付部材を兼ねる幅木３は外れない。壁パネル１０の上端部と回り縁としての幅木３もこれと同様にして相互に固定される。
【００１４】
工場での製作段階では、一例として、壁パネル１０に幅木３を上記説明したように嵌めこみ、固定した状態まで加工され、据付現地まで輸送され、あるいは倉庫に保管されるが、その過程で壁パネル１０から幅木３が外れるおそれはまずない。据付の際には、かご床２の上に、幅木３が固定された壁パネル１０を立てて、図７のようにかご床２に対して固定ボルト８１を用いて仮固定する。また、横方向に隣接する壁パネル１０の中央部分は折曲部１１、１１に目地部材５を介装し、壁の延在方向に貫通するように設けられた角穴１１ａ、５ａ、１１ａに締結ボルト８２を挿通して図６に示すように共締めし、幅木３部分も締結ボルト８２で図５に示すように相互に締結する。壁パネル１０と幅木３は最後に各ボルトを強く締付けることにより幅木３と壁パネル１０、かご床２、及び天井４は強固に一体化され、初期の目標強度が得られて組立が完了する。
【００１５】
上記のように、この実施の形態１によれば、幅木３に取付部材の機能を持たせ、壁パネル１０と幅木３とを係止手段７によって相互に固定した後、壁パネル１０を幅木３を介してかご床２または天井４に固定するようにしたことにより、溶接や接着剤が不要にでき、製作コストを下げることができる。また、意匠上のアクセントをもたせることもできる。さらに、係止手段７は、幅木３を壁パネル１０に嵌め込み、舌片７１を壁パネル１０の角穴１１ｂの内部方向に折り曲げる一方、壁パネル押え部７２で壁パネル１０の下端部を係止するという簡単な構造であるので、組立も容易であり、仮に仕様変更があったとしても、取付部材である幅木３や壁パネル１０を外すことも容易であり、例えば外した壁パネル１０に加工をすることなどができるというメリットもある。
【００１６】
また、幅木３を取付部材と兼用したので、別々に製作する場合に比べてかご室の製作コストを下げることができる。また、例えば幅木３の材質を壁パネル１０と変えることにより、異なる意匠を得ることができる。一方、かご室が図３に示すように、壁パネル１０上端部の幅木３が天井の照明ケースに隠れて見えないタイプでは、幅木３の材料を安価なものにすることで、かご室の製造コストを更に安価にすることもできる。また、壁パネル１０の厚さが標準的な例えば約１．５ｍｍ〜１．６ｍｍ程度の場合、横幅が約４００ｍｍ程度までは補強材を省いても所要の強度を得ることができるので、補強材が不要となる分、安価に提供することができる。
【００１７】
実施の形態２．
図８〜図１１は、この発明の実施の形態２によるエレベータかご室の壁の固定構造の要部を説明するもので、図８は壁パネルに幅木を固定した状態を示す斜視図、図９（ａ）は壁パネルに幅木を嵌めこむときの状態を背面側から示す斜視図、図９（ｂ）は、図９（ａ）の接着剤を両面テープに代えたときの幅木の要部を示す斜視図、図１０は上記実施の形態１の図５に相当する断面図、図１１は上記実施の形態１の図７に相当する断面図である。図において、取付部材を兼ねる幅木３０は、上記実施の形態１と同様の第１の曲げ部３１が形成されているが、図１、図４等に示す第２の曲げ部３２は形成されていない。
【００１８】
さらに、固定部３３に形成された壁パネル押え部７３は、図１１に示すようにコ字形の切込みを実施の形態１とは反対向きに設け、舌片を断面レ字形状に図１１の矢印Ｃで示す方向に引き起こして切込み曲げとし、レ字形の内側角部に壁パネル１０の下端を保持させることにより、壁パネル１０の幅方向中央部を幅木３０の背面部に押し付けるように構成され、加えて、幅木３０の背面上部に接着手段９としての接着剤９１を塗着し（図９（ａ））、または、両面テープ９２を貼り付けている（図９（ｂ））。なお、この実施の形態２では、壁パネル１０と幅木３の嵌めこみ構造と、角穴３１ａ、長方形の角穴１１ｂ、舌片７１、壁パネル押え部７３及び接着手段９によって、壁パネル１０と幅木３０を固定するための係止手段７が構成されている。その他の構成は上記実施の形態１と同様であるので説明を省略する。
【００１９】
上記のように構成された実施の形態２においては、まず図９（ａ）に示すように取付部材を兼ねる幅木３０の背面中央部上方に軽く接着材９１を塗布し、壁パネル１０に正面から嵌め込む。次に、両側の舌付き長穴からなる角穴３１ａの舌片７１を図１０に示すように内側に軽く曲げて、壁パネル１０の角穴１１ｂに係止させる。次に壁パネル押え部７３を図１１の矢印Ｃに示すように上方に起こして曲げ、壁パネル１０の下端を固定する。これで壁パネル１０と幅木３０とは舌片７１、角穴１１ｂ、接着剤９１、及び壁パネル押え部７３からなる係止手段７によって相互に固定される。その後、上記実施の形態１と同様にして組み立てられ、最終的には壁パネル１０相互のボルト締により強固に一体化され、所期の強度を確保することができる。
【００２０】
なお、天井部側についても、上記説明したかご床側と同様に固定される。また、この例では接着材９１を併用して壁パネル１０に幅木３０を固定したが、接着は幅木３０の中央上部が壁パネル１０と離れないように少量で良い。また、接着手段９として、接着材９１に代えて両面テープ９２を用いても良く、この場合には取り扱いが容易で、作業をより効率化できる。
【００２１】
上記のように、この実施の形態２によれば、幅木３０に取付部材の機能を持たせて、壁パネル１０を該幅木３０に係止手段７で固定するとともに、壁パネル１０を幅木３０を介してかご床２（または天井４）に固定するようにしたことにより、壁パネル１０は溶接が不要で、製作コストが下げられる。また、接着剤または両面テープを併用しているが、使用量が僅かであるため、環境上の問題も軽減できる。その他、上記実施の形態１と同様の効果が得られる。
【００２２】
なお、上記実施の形態の説明では、締結ボルト８２を挿通し、あるいは係止手段７を構成する穴を正方形や長方形の角穴１１ａ、１１ｂ、３１ａとしたが、これらは正方形や長方形に限定されないことはもとより、必ずしも角穴でなくてもよい。また、係止手段７を構成する角穴３１ａ、１１ｂは、左右に隣接する壁パネル１０及び幅木３を締結ボルト８２によって締結するための穴を兼ねるようにしたが、締結用の穴とは別に構成しても差し支えない。また、舌片７１は、幅木３側に設けたが、壁パネル１０の折曲部１１側に設けてもよい。さらに、下部に設ける幅木３と上部に設ける幅木３は、必ずしも同一である必要はなく、例えば大きさ、形状、構造、材質、デザインなどを変えてもよい。また、幅木３の下端部を奥側に引込めるように段付構造にして、換気のための通風口の機能を更に付加するように構成してもよい。その他、この発明の精神の範囲内で種々の変形や変更が可能であることは言うまでもない。
【図面の簡単な説明】
【００２３】
【図１】この発明の実施の形態１によるエレベータかご室の壁の固定構造に用いる幅木を装着した壁パネルと、壁パネル相互の締め付け部に挟む目地部材を背面から見た斜視図。
【図２】図１に示す壁パネルを用いたかご室の内部を正面から見た立体図で壁上端部の幅木（回り縁）が見えるタイプ。
【図３】図１に示す壁パネルを用いたかご室の内部を正面から見た変形例を示す立体図で壁上端部の幅木が天井の照明ケースで隠れて見えないタイプ。
【図４】図１に示す壁パネル、幅木及び係止手段とそれらの関係を説明する斜視図。
【図５】図２、３に示すＶ−Ｖ線における矢視断面図。
【図６】図２、３に示すＶＩ−ＶＩ線における矢視断面図。
【図７】図１に示す壁パネルを幅木を介してかご床に固定した部分を図２、３の矢印Ａ方向から見た断面詳細図。
【図８】この発明の実施の形態２によるエレベータかご室の壁の固定構造の要部である壁パネルに幅木を固定した状態を示す斜視図。
【図９】図８に示す壁パネルに幅木を嵌めこむときの状態を背面側から示す斜視図であり、（ａ）は接着剤を用いた場合、（ｂ）は両面テープを用いたときの幅木の要部を示す斜視図。
【図１０】図８に示す壁パネルを横に連結したときの連結部を示す断面図であり、上記実施の形態１の図５に相当する。
【図１１】図８に示す壁パネルをかご床に固定した部分の断面図であり、上記実施の形態１の図７に相当する。
【符号の説明】
【００２４】
１  壁、  １０  壁パネル、  １１  折曲部、  １１ａ、１１ｂ  角穴（穴）、  ２  かご床、  ２１  床パネル、  ２２  床梁、  ３、３０  幅木、  ３１  第１の曲げ部、  ３１ａ  角穴（穴）、  ３２  第２の曲げ部、  ３３  固定部（第３の曲げ部）、  ３３ａ  長穴（貫通孔）、  ４  天井、  ５  目地部材、  ５ａ  角穴、  ６  照明器具、  ６１  ランプ、  ６２  アクリルカバー、  ６３  飾り枠、  ６４  吊下げ枠、  ７  係止手段、  ７１  舌片、  ７２、７３  壁パネル押え部、  ８１  固定ボルト、  ８２  締結ボルト、  ９  接着手段、  ９１  接着剤、  ９２  両面テープ。
【図１】
2006321636.tif 000003
【図２】
2006321636.tif 000004
【図３】
2006321636.tif 000005
【図４】
2006321636.tif 000006
【図５】
2006321636.tif 000007
【図６】
2006321636.tif 000008
【図７】
2006321636.tif 000009
【図８】
2006321636.tif 000010
【図９】
2006321636.tif 000011
【図１０】
2006321636.tif 000012
【図１１】
2006321636.tif 000013